(57)【要約】【課題】カメの甲羅干しという習性を利用し、複雑な構造を必要とせず、簡単な構造で、継続して効率よくカメを捕獲でき、捕獲したカメが逃げるのを防止できるカメ捕獲装置を提供する。【解決手段】底面が開口し、上面周縁部にフランジ１２が設けられ、底面開口部１１には捕獲網１３が取り付けられた表面平滑な素材から成るボウル状部材１０と、  平面中央部に開口部が設けられ、側縁部にはカメが這い上がり可能なネット状誘導板２２が取り付けられた平板状フロート部材２０とから構成され、  ボウル状部材１０が平板状フロート部材２０の開口部に嵌合され、前記フランジ１２にて掛止されることで前記両部材が合体されている水面に浮遊させて設置可能な浮島型カメ捕獲装置。【選択図】図１
2016220659.tif 000002
【特許請求の範囲】
【請求項１】
底面が開口し、上面周縁部にフランジが設けられ、底面開口部には捕獲網が取り付けられた表面平滑な素材から成るボウル状部材と、
平面中央部に開口部が設けられ、側縁部にはカメ這い上がり可能なネット状誘導板が取り付けられた平板状フロート部材とから構成され、
ボウル状部材が平板状フロート部材の開口部に嵌合され、前記フランジにて掛止されることで前記両部材が合体されている
水面に浮遊させて設置可能な浮島型カメ捕獲装置。
【請求項２】
ボウル状部材の上面形状と平板状フロート部材の開口部形状は円形であることを特徴とする請求項1に記載の浮島型カメ捕獲装置。
【請求項３】
ボウル状部材の上面周縁部に設けられるフランジの幅は２ｃｍ以上であることを特徴とする請求項1又は２に記載の浮島型カメ捕獲装置。
【請求項４】
底面が開口し、上面周縁部にフランジが設けられ、底面開口部には捕獲網が取り付けられた表面平滑な素材から成るボウル状部材を、
側縁部にカメが這い上がり可能なネット状誘導板が取り付けられた平板状フロート部材の平面中央部に設けられた開口部に嵌合し、
前記両部材を合体した浮島型カメ捕獲装置を水面に浮遊させて設置し、
前記ネット状誘導板を這い上がってきたカメを捕獲網の中に落下させて捕獲するカメ捕獲方法。
【発明の詳細な説明】
【技術分野】
【０００１】
本発明は湖沼や河川などの水面に浮遊させて設置し、カメを捕獲する装置及び方法に関する。
【背景技術】
【０００２】
現在、日本国内に生息するカメ類はクサガメやニホンイシガメ以外に、ペットとして米国から大量に輸入されたミシシッピアカミミガメが遺棄されたり、逃げ出したりして野外に大量に生息するようになっている。そして、場所によってはミシシッピアカミミガメが優勢になり、在来種が影響を受けたり、その雑食性から観賞用ハス、ジュンサイ、ヒシなどの水生植物が食害を受けたりすることがある。そのため、カメ類の生息状況を明らかにするための調査や、自然環境に影響が出ている地域においては、環境を保全するためにミシシッピアカミミガメの駆除が必要であり、カメを捕獲する必要がある。
【０００３】
カメを捕獲するための装置としては、カニやエビを捕獲するためのカゴ罠や一部を改造したカゴ罠を利用して捕獲することが行われている。この捕獲方法では、カゴ罠にカメを誘引するためにエサなどを用いるため、カゴ罠の設置後の管理維持に手間を要する。そのため、最近になりカメの甲羅干しという習性を利用し、水面に浮遊させて設置して継続的にカメを捕獲する装置も使用されるようになってきた。
【０００４】
このタイプのカメ捕獲装置として、装置内に入り込んだカメが逃げ出しにくく捕獲効率の良い浮島型カメ捕獲装置が提案されている（特許文献１参照）。この装置では、カメを這い上がらせる誘導板が可動式となっており、カメが甲羅干しをするために誘導されて這い上がると、誘導板が支軸を中心に回動して、カメを捕獲網の中に落とし込む仕掛けとなっている。そのため、カメを連続して効率よく捕獲することができる。さらに誘導板の左右の両側には脱出防止部材としてのよじ登り防止板が備えられており、捕獲されたカメが再び誘導板に這い上がって脱出することを阻止することができる。
【０００５】
上記装置は、継続して効率よくカメを捕獲でき、捕獲したカメが逃げるのを防止できる装置ではあるが、誘導板を回転可能な構造としたり、脱出防止部材を設けたりするため、装置が複雑な構造となり、装置コストが上がるだけでなく、装置の保守メンテナンスにも費用を要する可能性がある。
【先行技術文献】
【特許文献】
【０００６】
【特許文献１】実用新案登録第３１８５１１４号公報
【発明の概要】
【発明が解決しようとする課題】
【０００７】
本発明の課題は、カメの甲羅干しという習性を利用し、複雑な構造を必要とせず、簡単な構造で、継続して効率よくカメを捕獲でき、捕獲したカメが逃げるのを防止できるカメ捕獲装置及び捕獲方法を提供することである。
【課題を解決するための手段】
【０００８】
本発明の水面に浮遊させて設置可能な浮島型カメ捕獲装置は、
底面が開口し、上面周縁部にフランジが設けられ、底面開口部には捕獲網が取り付けられた表面平滑な素材から成るボウル状部材と、
平面中央部に開口部が設けられ、側縁部にはカメが這い上がり可能なネット状誘導板が取り付けられた平板状フロート部材とから構成され、
ボウル状部材が平板状フロート部材の開口部に嵌合され、前記フランジにて掛止されることで前記両部材が合体されていることを特徴とする。
【０００９】
また、上記カメ捕獲装置のボウル状部材の上面形状と平板状フロート部材の開口部形状は円形であることが好ましく、さらにボウル状部材の上面に設けられるフランジの幅は２ｃｍ以上であることが好ましい。
【００１０】
本発明のカメ捕獲方法は、
底面が開口し、上面周縁部にフランジが設けられ、底面開口部には捕獲網が取り付けられた表面平滑な素材から成るボウル状部材を、
側縁部にカメが這い上がり可能なネット状誘導板が取り付けられた平板状フロート部材の平面中央部に設けられた開口部に嵌合し、
前記両部材を合体した浮島型カメ捕獲装置を水面に浮遊させて設置し、
前記ネット状誘導板を這い上がってきたカメを捕獲網の中に落下させて捕獲することを特徴とする。
【発明の効果】
【００１１】
上記の浮島型カメ捕獲装置やこの装置を利用した捕獲法では、平板状フロート部材の側縁にネット状誘導板を取り付け、平面中央部に設けた開口部に捕獲網が取り付けられたボウル状部材を嵌合した単純で簡単な構造にもかかわらず、甲羅干しをするためにネット状誘導板を這い上がり、平板状フロート部材上面に到達したカメを、開口部より、捕獲網内に落下させ捕獲することができる。さらに、ボウル状部材の表面は平滑であり、かつ上面周縁部はフランジが設けられているため、捕獲網内に落下したカメはボウル状部材の表面をよじ登ることができず、また、フランジの存在により周縁部に爪を引っ掛けることができず脱出できないので、カメの捕獲効率も良好となる。ミシシッピアカミミガメはその習性上、日光浴である甲羅干しを好み、日照条件の整った日には次々と平板状フロート部材上面に這い上がり、這い回るうちに捕獲網内に落下し捕獲される。
【００１２】
以上のように、本発明の浮島型カメ捕獲装置やこの装置を利用した捕獲法では、これまでのカゴ罠と異なり、エサを用いることなくカメの習性を利用しているため、装置のメンテナンスに手間が掛かることがない。また、本発明の捕獲網が取り付けられたボウル状部材は、平板状フロート部材から取外すこともできるため、捕獲したカメを別途の収容カゴなどの収容容器に移すことなく、そのまま収容網として使用することもできる。
【図面の簡単な説明】
【００１３】
【図１】ボウル状部材と平板状フロート部材とが合体されているカメ捕獲装置の実施例の正面説明図。
【図２】ボウル状部材の正面斜視説明図。
【図３】平板状フロート部材の上面説明図。
【発明を実施するための形態】
【００１４】
以下、本発明の詳細につき図面を基に説明する。
【００１５】
図１は本発明の実施例である浮島型カメ捕獲装置１の正面説明図であり、水面２００に浮遊させた状態を示している。この浮島型カメ捕獲装置１は、底面開口部１１に捕獲網１３が取り付けられたボウル状部材１０を、プラスチック独立気泡発泡体などから成る平板状フロート部材２０に合体させたものである。本実施例の平板状フロート部材２０の左右の側縁にはネット状誘導板２２が取り付けられており、図に示すようにカメ１０１が、甲羅干しをするために、この誘導板２２を這い上がり、平板状フロート部材２０の上面を這い回るうちに、ボウル状部材１０に落ち込み捕獲され、カメ１０２として示される。
【００１６】
また、甲羅干しはカメ特有の習性であり、カメは甲羅干しに適した浮遊物を見つけると好んで浮遊物上に這い上がり、甲羅干しを行う。そのため、カメの生息する河川や湖沼の水面に、浮島カメ捕獲装置１を浮遊させると、ネット状誘導板２２に誘われ次々にカメ１０１が平板状フロート部材２０の上面に這い上がり這い回るだけでなく、這い上がったカメ同士が押し合う格好となり、押し出されたカメは次々とボウル状部材１０に落下して捕獲され、カメ１０２となる。
【００１７】
図２は捕獲網１３を底面開口部１１に取り付けたボウル状部材１０の正面斜視説明図である。捕獲網１３は底面開口部１１を囲い込むように取り付け具１４にてボウル状部材１０に取り付けられている。ボウル状部材１０の上面周縁部にはフランジ１２が設けられており、平板状フロート部材２０に掛止できるようにすると共に、捕獲されたカメ１０２の逃げ出し防止の役割も果たす。ボウル状部材１０は金属板やプラスチックなどの表面平滑な素材を成形して作製されおり、図１に示すように落下して捕獲されたカメ１０２がよじ登って脱出しようとしても、表面が平滑なため爪を引っ掛けることができず脱出できない。さらに、多数のカメが登り、その重量で平板状フロート部材２０が沈み、その上面と水面２００との差が少なくなった場合でも、捕獲されたカメ１０２が水面に浮上し逃げ出そうとしても、設けられたフランジ１２の存在により、前足を延ばしても平面状フロート部材２０にまで爪が届くことがなく逃げ出すことができない。そのためには、フランジ１２の上面の幅は２ｃｍ以上あることが好ましい。
【００１８】
図３は平板状フロート部材２０の上面説明図であり、左右の側縁にはネット状誘導板２２が取り付けられており、平面中央部には開口部２１が設けられている。さらに前後の側縁には補強材２３が取り付けられている。この開口部２１にボウル状部材１０は嵌合され、フランジ１２で掛止されることによりフロート部材２０と合体させ、浮島型カメ捕獲装置１とすることができる。図３では平板状フロート部材２０は矩形形状のものを示したが、その形状は特に限定されることなく、円形、多角形などの形状であってもよい。
【００１９】
平板状フロート部材２０を構成する素材としては、浮島型カメ捕獲装置１を水面に浮かせることのできるものであれば特に限定されることなく用いることは可能であるが、浮力などの面からプラスチックの独立気泡発泡体が好ましい。このプラスチック発泡体には各種の合成樹脂を用いることができるが、ポリオレフィン例えばポリエチレン、ポリプロピレンなどの発泡体が好ましく用いられる。これらのプラスチック発泡体は比重が小さく、フロートとしては最適なものであるが、強靭性に劣り、フロートが折れ曲がったり、カメの爪などで角が破損したりすることを避けるために、前記したように補強材２３を用いることが好ましい。また、平板状フロート部材２０に取り付けられるネット状誘導路２２は、この上をカメが這い上がりやすくするためにネット状であることが好ましく、材質は強靭であり、変形しても元の形に戻る弾性復元力を持つものが好ましく、プラスチックネット、金網を用いることができる。プラスチックネットとは、ポリエチレン、ポリプロピレン、ＥＶＡ、ポリ塩化ビニルなどの熱可塑性プラスチックを連続押し出しにより紡糸すると共に、縦糸と横糸とを一体成形して製造されるネットであり、プラスチックの種類や網目の大きさ形状を適宜選択できるものである。図１及び３に示すように、ネット状誘導板２２はプラスチックネットを適切な大きさに切断し、断面をＶ字状に折り曲げて平板状フロート部材２０の左右の側縁に取り付けたものである。ネット状誘導板２２が取り付けられていない前後の側縁には同様なプラスチックネットを断面コ字状に折り曲げた補強材２３を取り付けている。
【００２０】
ネット状誘導板２２はその上をカメが這い上がることができればよく、材質には特に限定されず、金網の利用も可能である。金属を用いる場合には、水面上での利用となるためさびて腐食されることのないステンレス鋼の金網が好ましい。
【００２１】
ボウル状部材１０は中に落下したカメが逃げ出せないように、カメが爪を引っ掛けることができないように硬く表面が平滑な材質であることが好ましく、金属や硬質プラスチックを用いることができるが、特にアクリル樹脂で成形したものが好ましく、その他ポリプロピレン、高密度ポリエチレン、ポリカーボネート、ナイロン、ポリ塩化ビニルなど各種の硬質プラスチックを用いることができる。また形状も、特に限定されるわけではないが捕獲したカメの重量の負荷を均等にするために、円形のボウル状であることが好ましい。
【００２２】
ボウル状部材１０に取り付けられる捕獲網１３は、一般の漁網に用いられる合成繊維で構成すればよく、ナイロン繊維、ポリエチレンテレフタレート繊維、ポリ塩化ビニリデン繊維などを用いることができる。その形状は袋状、カゴ状何れであってもよい。
【産業上の利用可能性】
【００２３】
以上説明したように本発明の装置や方法は、複雑な構造を必要とせず、簡単な構造で、継続して効率よくカメを捕獲でき、捕獲したカメが逃げるのを防止できる。そのため、外来種であるミシシッピアカミミガメの国内における生息の実体調査や、環境に悪影響が顕在化している地域においての駆除に大きく寄与できるものである。
【符号の説明】
【００２４】
１    浮島型カメ捕獲装置
１０  ボウル状部材
１１  底面開口部
１２  フランジ
１３  捕獲網
１４  取り付け具
２０  平板状フロート部材
２１  開口部
２２  ネット状誘導板
２３  補強材
１０１、１０２  カメ
２００  水面
【図１】
2016220659.tif 000003
【図２】
2016220659.tif 000004
【図３】
2016220659.tif 000005